【手続補正書】
【提出日】平成20年6月11日(2008.6.11)
【手続補正１】
【補正対象書類名】特許請求の範囲
【補正対象項目名】全文
【補正方法】変更
【補正の内容】
【特許請求の範囲】
【請求項１】
光源から出射されるレーザ光の光束を像担持体に偏向走査し、前記像担持体に静電潜像を形成する偏向走査手段が配置された枠体と、
前記枠体の開口部を覆うカバーと、を有し、
前記枠体は、前記開口部を有する第一の面と、前記第一の面と隣り合う第二の面と、前記第一の面と隣り合い、前記第二の面と平行でない第三の面を少なくとも有し、
前記カバーは、前記開口部を覆う第一の面に対向する面と、前記第二の面及び前記第三の面それぞれに対向する面と、を有し、
前記カバーの前記第一の面に対向する面は、前記枠体の前記第一の面に３箇所で固定され、前記カバーの前記第二の面に対向する面は、前記枠体の前記第二の面に固定され、前記カバーの前記第三の面に対向する面は、前記枠体の前記第三の面に固定されることを特徴とする光学ユニット。
【請求項２】
前記第二の面と前記第二の面に対向する面とは２箇所で固定され、前記第三の面と前記第三の面に対向する面とは１箇所で固定されることを特徴とする請求項１に記載の光学ユニット。
【請求項３】
前記偏向走査手段により偏向走査されるレーザの光束と前記第一の面とは略平行であることを特徴とする請求項１又は２に記載の光学ユニット。
【請求項４】
前記枠体と前記カバーとが同材質又は線膨張係数が略等しい材質であることを特徴とする請求項１に記載の光学ユニット。
【請求項５】
前記第二の面には、前記第一の面及び第二の面に平行な中心軸を有する部分円筒面が設けられ、前記第三の面には、第一の面及び第三の面に平行な中心軸を有する部分円筒面が設けられていることを特徴とする請求項１又は２に記載の光学ユニット。
【請求項６】
前記枠体と前記カバーは強化充填材を含んだ樹脂材料であることを特徴とする請求項１に記載の光学ユニット。
【請求項７】
前記枠体と前記カバーの少なくとも一方には、前記光束が通過する一つ以上の開口が設
けられていることを特徴とする請求項１に記載の光学ユニット。
【請求項８】
前記光源は前記光学ユニットに複数配置され、前記複数の光源から出射された複数の光束を一つの前記偏向走査手段により偏向することを特徴とする請求項１に記載の光学ユニット。
【請求項９】
記録材上に画像を形成する画像形成手段を有する画像形成装置において、請求項１乃至８のいずれかに記載の光学ユニットは画像形成装置に対して３点で固定されることを特徴とする画像形成装置。
【手続補正２】
【補正対象書類名】明細書
【補正対象項目名】０００４
【補正方法】変更
【補正の内容】
【０００４】
この装置は、４個の走査光学装置１００と、それぞれに対応する４個の感光ドラム９１〜９４及び現像手段１３１〜１３４と、転写手段１２１〜１２４、定着手段１４０、搬送ベルト１４１を有する。
【手続補正３】
【補正対象書類名】明細書
【補正対象項目名】０００５
【補正方法】変更
【補正の内容】
【０００５】
４個の走査光学装置１００は、Ｃ（シアン），Ｍ（マゼンダ），Ｙ（イエロー），Ｂ（ブラック）の各色に対応して設けられており、それぞれ感光ドラム９１，９２，９３，９４上に画像信号に応じた走査光を照射して潜像を形成する。そして、これらの潜像を現像装置１３１〜１３４によって各色のトナーにより現像し、転写手段１２１〜１２４によりそれぞれの感光ドラム上のトナー像を搬送ベルト１４１上の記録材であるシート材等に転写する。その後、シート材上の未定着トナー像は定着手段１４０により熱にシート材に定着される。
【手続補正４】
【補正対象書類名】明細書
【補正対象項目名】０００６
【補正方法】変更
【補正の内容】
【０００６】
この走査光学装置においては、画像信号に応じて光源から光変調されて出射した光束を、例えば回転多面鏡等の光偏向手段によって周期的に偏向走査させる。そして、ｆθ特性を有する結像光学系によって走査された光束を、感光ドラム上の結像面にスポット状に集束させる。結像面上のスポットは、光偏向手段による主走査と、感光ドラムの回転による副走査に伴い静電潜像を形成し、画像記録を行っている（特許文献１、２参照）。
【手続補正５】
【補正対象書類名】明細書
【補正対象項目名】００４３
【補正方法】変更
【補正の内容】
【００４３】
図１７、図１８は、従来の走査光学装置の全体斜視図及び上面図である。図１７に示すように、走査光学装置３０は、光学箱３１とカバー３２を有する。また、その内部には図１６に示すように、偏向装置４、ｆθレンズ５ａ、５ｂ、さらに偏向装置４により走査された複数の光束を複数の感光体へ導くため配置された複数の折り返しミラー６、７、８が取り付けられている。また、カバー３２には偏向走査された複数の光束を走査光学装置外部へ射出するための複数の開口部３２ａが設けられている。さらに、開口部付近を補強するための複数の補強リブ３２ｂと、外周部に設けられた側壁とにより、箱構造として剛性を高めてある。
【手続補正６】
【補正対象書類名】明細書
【補正対象項目名】００４７
【補正方法】変更
【補正の内容】
【００４７】
上記目的を達成するために、本発明にあっては、
光源から出射されるレーザ光の光束を像担持体に偏向走査し、前記像担持体に静電潜像を形成する偏向走査手段が配置された枠体と、
前記枠体の開口部を覆うカバーと、を有し、
前記枠体は、前記開口部を有する第一の面と、前記第一の面と隣り合う第二の面と、前記第一の面と隣り合い、前記第二の面と平行でない第三の面を少なくとも有し、
前記カバーは、前記開口部を覆う第一の面に対向する面と、前記第二の面及び前記第三の面それぞれに対向する面と、を有し、
前記カバーの前記第一の面に対向する面は、前記枠体の前記第一の面に３箇所で固定され、前記カバーの前記第二の面に対向する面は、前記枠体の前記第二の面に固定され、前記カバーの前記第三の面に対向する面は、前記枠体の前記第三の面に固定されることを特徴とする。
【手続補正７】
【補正対象書類名】明細書
【補正対象項目名】００５３
【補正方法】変更
【補正の内容】
【００５３】
走査光学装置１の内部中央には偏向装置４が配置されており、不図示の４つの光源から発せられた光束をｆθレンズ５ａ，５ｂに向かって偏向走査する。偏向装置４により走査された走査光はｆθレンズ５ａ，５ｂにより集束され、折り返しミラー６，７，８により４つの感光ドラム２１、２２、２３、２４上に導かれて結像して潜像を形成する。
【手続補正８】
【補正対象書類名】明細書
【補正対象項目名】００５６
【補正方法】変更
【補正の内容】
【００５６】
偏向装置４により偏向走査される光束と開口部を有する面とは略平行の関係にある。このうち締結箇所Ａ−１、Ａ−２、Ａ−３の３箇所は、偏向装置４により偏向走査される光束に対して略平行な第一の平面Ａ上に配置され、締結箇所Ｂ−１、Ｂ−２の２箇所は第一
の平面Ａと隣り合い、第一の平面Ａに対して略垂直な第二の平面Ｂ上に配置され、締結箇所Ｃ−１は第一の平面Ａ及び第二の平面Ｂと隣り合い、第一の平面Ａ及び第二の平面Ｂに対して略垂直な第三の平面Ｃ上に配置されている。
【手続補正９】
【補正対象書類名】明細書
【補正対象項目名】００６４
【補正方法】変更
【補正の内容】
【００６４】
つまり、レーザを偏向走査する偏向装置４が配置されている光学箱２と、光学箱２の開口部を覆う（密閉する）ためのカバー３と、を備える走査光学装置１において、カバー３は、光学箱２に対して締結される少なくとも３つの面を有し、３つの面は、偏向装置４により走査される光束に略平行な第一の平面Ａと、第一の平面Ａに対し略垂直な第二の平面Ｂと、第一の平面Ａ及び第二の平面Ｂと略垂直な第三の平面Ｃとからなり、３つの面で光学箱とカバーが接触した状態において締結の前後における光学箱とカバーの相対的な位置関係が略一致するよう構成することで、光学箱とカバーの締結による変形を抑制し、剛性の高い走査光学装置を提供することができる。
【手続補正１０】
【補正対象書類名】明細書
【補正対象項目名】００８０
【補正方法】変更
【補正の内容】
【００８０】
１  走査光学装置
２  光学箱
２ａ〜２ｆ  締結部
３  カバー
３ａ〜３ｆ  締結部
３ｐ  開口部
３ｒ  補強リブ
４  偏向装置
５ａ，５ｂ  ｆθレンズ
６〜８  ミラー
１１  光学箱
１１ｄ  締結部
１１ｒ  部分円筒面
１１ｓ  ネジ穴
１２  カバー
Ｐ  プリンタ
【手続補正１１】
【補正対象書類名】図面
【補正対象項目名】図９
【補正方法】変更
【補正の内容】
【図９】
2006349925.tif 000001